(57)【特許請求の範囲】
【請求項１】
遊技盤１の遊技領域４内に、大当り遊技の権利発生条件中に遊技球の入賞検出に基づき大当り遊技の開始条件を発生し得る第３種始動装置Ｆ1 が配設された遊技機において、
前記第３種始動装置Ｆ1 は、前記遊技盤１の所定部位に装着されて遊技球を入賞し得る入賞箱２１と、該入賞箱２１内の空間室に前後横向きに嵌挿されて該入賞箱２１の裏側に設置されたモ−タＭの回転・停止駆動制御により基準停止位置から一方向に１回転毎に停止されて回転時間差を以て遊技球の入賞と入賞球の裏側排出とをなすほぼ横長円筒状の回転誘導体Ｒ1 と、前記入賞箱２１の裏側開口部の下方に設置されて前記回転誘導体Ｒ1 から排出された入賞球を検出し得る球検出器２２とを備え、
前記入賞箱２１では、前記遊技盤１の前面に取着される取付板部２１ａの前側に設けられて前記遊技領域４に臨む第３種始動口２３を上向きに開口した正面ほぼＵ字状の球受け部分と、取付板部２１ａの後側に連設されて前記遊技盤１の貫通孔１ｂ内に嵌挿されて後側下部に球排出口２５を開口した嵌合筒部２１ｂを有し、
前記回転誘導体Ｒ1 では、入賞球を挿通し得る円筒孔を有し、前端部側に軸心方向に対して斜状交差する形状で楕円形に開口されて前記入賞箱２１の第３種始動口２３と連絡し得る球受口２４が形成され、軸方向の後端部側に前記球検出器２２の球通過口２２ａと連通し得る球排出口２５が形成されるとともに、円筒孔内の後部で球排出口２５とは反対側の角度位置に円筒孔内に誘導された入賞球を暫時停止させるための制止部２６が突出され、
前記回転誘導体Ｒ1 は、前端側外周部を前記入賞箱２１の第３種始動口２３の入口直下方の球止め位置に臨ませ、かつ球排出口２５を前記球検出器２２の球通過口２２ａの直上方の連通位置に臨ませた状態の前記基準停止位置において、前記モ−タＭの駆動制御に従い一方向に１回転される過程で、球受口２４が第３種始動口２３と連絡した時点で、第３種始動口２３に入った入賞球を受入れて円筒孔内の後側に誘導して制止部２６で暫時停留し、１回転終了の前記基準停止位置で球排出口２５が前記球検出器２２の球通過口２２ａと連通した時点で、制止部２６から離れた前記入賞球を排出して球検出器２２で検出するように構成したことを特徴とする遊技機。
【発明の詳細な説明】
【０００１】
【発明の属する技術分野】
本発明は、球噛みしにくい第３種始動装置を備えた遊技機に関するものである。
【０００２】
【従来の技術】
遊技機において、その盤面に配置される液晶表示装置は、徐々に大型化され、これに比例して盤面は狭くなる結果、球が盤面を流下する領域は、同様にして狭くなる。例えば、図柄表示装置を遊技構成に含んだ第３種機においては、盤面に前記図柄表示装置の他に、権利発生装置、第３種始動装置、大入賞口装置等の多くの装置が配置され、遊技領域が狭くなる問題は、特に大きい。
【０００３】
ここで、従来の第３種始動装置の一つとして、図２０に示されるものが知られている。この入賞装置は、モータＭ’により低速で連続回転される円盤状の回転誘導体５１の周方向の一部に、外周に開口した球受部５２が形成され、該回転誘導体５１の回転により、後述の入賞口５５に待機している球Ｂを受け入れて、略半回転させた後に、直下の球検出スイッチＳ’の球通過口５３の部分を通過し得るように排出させる構成である。前記回転誘導体５１は、遊技盤面に固定されたリング状のガイド部材５４の内部に配置されていて、前記ガイド部材５４の最上部には、１個の球Ｂが通過可能な入賞口５５が設けられ、遊技盤面における前記入賞口５５の直上には、遊技盤面上を転動する球Ｂを前記入賞口５５に誘導するための左右一対の誘導釘５６が設けられている。
【０００４】
このため、従来の入賞装置では、回転誘導体５１の回転と入賞口５５を通過する球Ｂとのタイミングによっては、図２０（イ）に示されるように、回転誘導体５１の球受部５２の開口端縁部と、ガイド部材５４の入賞口５５に臨む端縁部との間に、通過途中の球Ｂが噛み込まれて、そのままの状態で回転誘導体５１が停止する「球噛み」現象が所定頻度で発生する不具合がある。また、回転誘導体５１が円盤状であって、その外周部に球受部５２を設けた構成であって、回転誘導体５１の直径は、球Ｂの直径の２倍以上となるために、盤面の占有面積が大きくなる不具合もある。
【０００５】
【発明が解決しようとする課題】
本発明は、小型で、しかも球噛みを生じにくい第３種始動装置を備えた遊技機の提供を課題としている。
【０００６】
【課題を解決するための手段】
上記の課題を解決するための請求項１に記載の発明は、遊技盤の遊技領域内に、大当り遊技の権利発生条件中に遊技球の入賞検出に基づき大当り遊技の開始条件を発生し得る第３種始動装置が配設された遊技機において、前記第３種始動装置は、前記遊技盤の所定部位に装着されて遊技球を入賞し得る入賞箱と、該入賞箱内の空間室に前後横向きに嵌挿されて該入賞箱の裏側に設置されたモ−タの回転・停止駆動制御により基準停止位置から一方向に１回転毎に停止されて回転時間差を以て遊技球の入賞と入賞球の裏側排出とをなすほぼ横長円筒状の回転誘導体と、前記入賞箱の裏側開口部の下方に設置されて前記回転誘導体から排出された入賞球を検出し得る球検出器とを備え、前記入賞箱では、前記遊技盤の前面に取着される取付板部の前側に設けられて前記遊技領域に臨む第３種始動口を上向きに開口した正面ほぼＵ字状の球受け部分と、取付板部の後側に連設されて前記遊技盤の貫通孔内に嵌挿されて後側下部に球排出口を開口した嵌合筒部を有し、前記回転誘導体では、入賞球を挿通し得る円筒孔を有し、前端部側に軸心方向に対して斜状交差する形状で楕円形に開口されて前記入賞箱の第３種始動口と連絡し得る球受口が形成され、軸方向の後端部側に前記球検出器の球通過口と連通し得る球排出口が形成されるとともに、円筒孔内の後部で球排出口とは反対側の角度位置に円筒孔内に誘導された入賞球を暫時停止させるための制止部が突出され、前記回転誘導体は、前端側外周部を前記入賞箱の第３種始動口の入口直下方の球止め位置に臨ませ、かつ球排出口を前記球検出器の球通過口の直上方の連通位置に臨ませた状態の前記基準停止位置において、前記モ−タの駆動制御に従い一方向に１回転される過程で、球受口が第３種始動口と連絡した時点で、第３種始動口に入った入賞球を受入れて円筒孔内の後側に誘導して制止部で暫時停留し、１回転終了の前記基準停止位置で球排出口が前記球検出器の球通過口と連通した時点で、制止部から離れた前記入賞球を排出して球検出器で検出するように構成したことを特徴としている。
【０００７】
【０００７】
請求項１の発明によれば、円筒状の回転誘導体が回転している途中において、入賞箱の第３種始動口に球が待機している場合には、前記回転誘導体の球受口と第３種始動口とが合致することにより、該第３種始動口で待機中の球は、前記球受口を通って回転誘導体内に受け入れられて収容される。そして、回転誘導体の内周面に設けられた制止部に球が制止されることにより、該球は、回転誘導体の回転中において、その軸方向に沿って転動することなく、即ち、奥側に転動することなく、そのままの位置を保っているため、１個の球が回転誘導体内に収容された状態では、回転誘導体の外部の別の球は、該回転誘導体に収容された球によって、回転誘導体の内部に受け入れられない。そして、回転誘導体の回転により、内部に収容された球の制止部による制止が解除されると、前記球は回転誘導体の奥側に転動して、球排出口から排出されると共に、次の球の受け入れが可能となる。よって、回転誘導体の１回転中につき１個のみの球が球受口から受け入れられて、球排出口から排出される。
【０００８】
回転誘導体の内径は、その回転によって、制止部による制止が解除された状態で、球が奥側に転動できる寸法であれば足りるので、球の直径よりも僅かに大きければ足りる。このため、回転誘導体の内径、ひいては外径を小さくできて、この回転誘導体が構成部材となっている第３種始動装置の小型化が図られる。
【０００９】
また、請求項１の発明は、回転する円筒状の回転誘導体が第３種始動口の下方に配置された第３種始動装置を備えた遊技機にあって、前記回転誘導体は、前記第３種始動口に合致する先端部分を斜めに切断して形成されて、前記第３種始動口を通過した球をその内部に受け入れる球受口と、前記球受口よりも後方に形成され、受け入れられた球を排出する球排出口と、前記球受口と前記球排出口との間の内周面に形成され、２個の球が同時に受け入れられるのを防止する制止部とを備え、前記回転誘導体の１回転中につき１個のみの球が受け入れられて排出される構成としている。
【００１０】
請求項１の発明によれば、球受口が下方を向いた状態で、第３種始動口に最初の球が達すると、該最初の球は、回転中の回転誘導体の外周面に保持され、球受口が直下を向いた当初の状態から回転誘導体が所定角度、例えば９０°を超えて回転すると、前記最初の球は、回転誘導体の球受口を通って、その内部に受け入れられると共に、回転誘導体の内部においては、その内周面に形成された制止部に制止され、これを超えて更に奥側に移動できなくなる。このため、次の球が球受口に達しても、回転誘導体に受け入れられている最初の球によって、次の球が受け入れられる状態とはならない。
【００１１】
そして、回転誘導体が更に所定角度だけ回転すると、その途中において、制止部による最初の球の制止が解除された後に、該最初の球は、球排出口から排出されると共に、次の球は、球受口を通って回転誘導体の内部に受け入れられる。以後、上記作用が繰り返される。
【００１２】
よって、回転誘導体の１回転中につき１個のみの球が回転誘導体内に受け入れられて、この状態から回転誘導体が所定角度だけ回転した後において、回転誘導体内に受け入れられて制止部に制止されている球は、その球排出口から排出される。また、回転誘導体の球受口は、先端部分を斜めに切断して形成されたものであるため、球受口の端縁と第３種始動口の周囲の固定部分との間で球が噛まれそうになっても、球が球受口内で逃げ易く、そのため、第３種始動装置を構成する回転誘導体と、他の固定部分との間で球噛みが生じにくく、回転誘導体の１回転につき１個ずつの球が受け入れられて排出される。また、回転誘導体の内径は、球の直径よりも僅かに大きければよいので、回転誘導体が小径となって、第３種始動装置が小型化される。
【００１３】
【００１４】
【００１５】
【００１６】
また、請求項１の発明は、前記球排出口の周方向に沿った形成位置は、前記制止部と略反対側である構成を有している。これにより、球の排出時において、制止部は最も上方に位置していて、排出直前の球と制止部とが最も干渉しにくい位置となるために、回転誘導体の内径は、球の直径よりも僅かに大きくすれば足りて、回転誘導体の外径を最小にでき、その結果、第３種始動装置を一層小型化できる。
【００１７】
【発明の実施の形態】
以下、実施形態を挙げて、本発明を更に詳細に説明する。図１は、本発明に係るパチンコ機の正面図である。このパチンコ機は、「権利もの」と称される第３種パチンコ機であって、遊技盤１には、外側及び内側の各球案内レール２，３が取付けられて、各球案内レール２，３によって囲まれる領域が遊技領域４となっている。外側及び内側の各球案内レール２，３が内外で重なる部分は、球発射通路５を形成していて、球発射装置（図示せず）から発射された球は、前記球発射通路５を通って、前記遊技領域４に放たれる。遊技領域４には、多数の釘が適宜配置され、遊技領域４に放たれた球は、これらの釘により流れを変化させられ、或いは所定方向に誘導されながら、遊技領域４の下方に向かって流れる。
【００１８】
また、遊技領域４の略中央部には、電動式の普通役物装置Ａと権利発生装置（「センタ役物装置」と称されることもある）Ｅとが相上下して配置されている。電動式の前記普通役物装置Ａは、モータ、ソレノイド等の電動アクチュエータを駆動源として開閉動作を行う一対の開閉部材６を備えていて、該一対の開閉部材６の間が可変入賞口７となっている。また、権利発生装置Ｅは、その中央部に２つの図柄表示部８が横方向に並んで配置されている。この実施形態では、前記図柄表示部８は、７セグメントの表示部で構成される。
【００１９】
また、権利発生装置Ｅの左斜下方には、普通役物作動器９が配置されている。この普通役物作動器９は、その入賞口に球が入ると、この入賞検出信号に基づいて、電動式の前記普通役物装置Ａを構成する一対の開閉部材６が所定時間（例えば、０．５秒）だけ開放した後に、元の閉塞状態に戻るようになっている。権利発生装置Ｅの右斜上方には、後に詳述する第３種始動装置Ｆ1 が配置され、該第３種始動装置Ｆ1 の直下には、大入賞口装置Ｇが配置されている。大入賞口装置Ｇは、大入賞口１０とこの大入賞口１０を開閉する開閉扉１１とを備えている。上記した「大当り遊技」の権利が発生している状態で、第３種始動装置Ｆ1 に球が入賞すると、大入賞口装置Ｇの開閉扉１１が所定条件の間のみ開く構成になっている。また、開閉扉１１の直下には、大入賞口１０への入賞球数をカウントするカウント表示器１２が設けられている。
【００２０】
また、普通役物装置Ａの直上と左方とには、それぞれ普通入賞器１３が配置され、最上部の普通入賞器１３の両側、及び普通役物装置Ａの両側には、遊技領域４を流れる球の方向を変化させる風車１４がそれぞれ配置されている。遊技領域４の中央最下部には、いずれの入賞口にも入賞しなかった球を流入させて外部に排出させるアウト口１５が配置されている。
【００２１】
次に、上記した第３種始動装置Ｆ1 について、更に詳細に説明する。図２は、回転角が１８０°の状態における第３種始動装置Ｆ1 の一部を破断した斜視図であり、図３ないし図１２は、第３種始動装置Ｆ1 の異なる回転角における球Ｂの状態を示す作用説明図である。図１ないし図３において、第３種始動装置Ｆ1 は、正面形状が略Ｕ字状をしていて、遊技盤１の盤面１ａから突出して固定配置される入賞箱２１と、先端部のみが遊技盤１の盤面１ａから突出し、残りの部分は遊技盤１内に収容された状態で回転可能に水平配置される円筒状の回転誘導体Ｒ1 と、該回転誘導体Ｒ1 を低速で連続回転させるためのモータＭと、前記回転誘導体Ｒ1 の球排出口２５から排出された球Ｂの通過を検出する球検出器２２とを備えている。入賞箱２１は、遊技盤１の盤面１ａに密着してビス等で固定して取付けられる取付板部２１ａと、周方向の一部が欠落されて、遊技盤１に貫通形成された貫通孔１ｂに嵌合される嵌合筒部２１ｂとを備えており、その前面は、遊技者から回転誘導体Ｒ1 の回転状態、及び球Ｂの状態を視認可能とするために、透明板から成る閉塞板部２１ｃで閉塞されている。このため、遊技盤１の盤面１ａから突出して固定された入賞箱２１は、その上面開口が第３種始動口２３となっている。入賞箱２１の底板部２１ｅは半円筒状になっていて、前記回転誘導体Ｒ1 は、遊技盤面１ａが突出した略前半部の球受口２４が形成された部分が、入賞箱２１の底部と同心状となって配置されている。
【００２２】
また、円筒状の回転誘導体Ｒ1 における遊技盤１の盤面１ａから突出する略前半部は斜め切断されて、球受口２４が形成されていると共に、回転誘導体Ｒ1 における遊技盤１の貫通孔１ｂ内に配置される略後半部には、球排出口２５が形成されている。この球排出口２５の周方向に沿った形成位置は、前記球受口２４の周縁の遊技盤面１ａに最も近い部分である。従って、球排出口２５は、回転誘導体Ｒ1 の先端の最も突出した部分に対しては、周方向の位相が１８０°異なっており、その大きさは、１個の球Ｂが通過可能な最小寸法である。また、回転誘導体Ｒ1 の内周面における前記球排出口２５に対して周方向に沿って略反対位置（周方向の位相が１８０°異なる位置）であって、しかも軸方向に沿って略同一位置には、２個の球Ｂが同時に回転誘導体Ｒ1 の内部に収容されるのを制止する制止部２６が所定の中心角でもって一体に設けられている。図２及び図１１に示されるように、制止部２６の縦断面視において、先端側の端面２６ａは、回転誘導体Ｒ1 内に収容された球Ｂが安定して当接し得るように、内周面に対して裏面側に傾斜して形成されていると共に、内周面２６ｂは、球排出を容易にするために、回転誘導体Ｒ1 の軸心Ｃとの距離が奥方に向けて漸次短くなるように傾斜して形成されている。そして、制止部２６の先端側の端面２６ａと内周面２６ｂとの交線２７と、球排出口２５の内周縁のうち回転誘導体Ｒ1 の最も先端に近い部分２５ａとの距離Ｌは、球Ｂの直径Ｄよりも僅かに大きくしてある。このような寸法設計を行うことにより、回転誘導体Ｒ1 の外径を最小にできる。
【００２３】
また、回転誘導体Ｒ1 は、水平配置されるために、内部に収容された球Ｂを重力作用により奥方に転動可能にすべく、手前側（先端）から奥側に向けて肉厚が漸次薄くなっているため、回転誘導体Ｒ1 の内周面は、軸方向に沿って傾斜している。これにより、回転誘導体Ｒ1 の内部に収容された球Ｂは、この回転誘導体Ｒ1 の回転作用と相俟って、制止部２６に制止されない回転位置において、自然に奥側に転動して移動可能にしてある。回転誘導体Ｒ1 は、遊技盤１の背面に固定配置されたモータＭの回転軸２８に対して直結され、該モータＭを駆動源として、軸心Ｃを水平にして低速で連続回転する構成になっている。また、球検出器２２の球通過口２２ａは、回転誘導体Ｒ1 の球排出口２５が最も下方に達した状態において、該球排出口２５の直下に配置されている。なお、筒状の回転誘導体Ｒ1 の奥側は、閉塞されている。
【００２４】
次に、上記構成の第３種始動装置Ｆ1 の作用について説明する。回転誘導体Ｒ1 の球受口２４が下方を向く位置を原点位置（回転角：０°）と定めた場合において、図３ないし図１２は、それぞれ回転角が０°，４５°，９０°，１３５°，１８０°，２２５°，２７０°，３１５°，３６０°，４９５°の位置における状態を示す図である。また、本実施形態の第３種始動装置Ｆ1 の第３種始動口２３には、最大で３個の球Ｂが入り込んで順次入賞させることが可能であるので、以下の説明においては、取り込まれた順番を説明する必要がある場合には、その球Ｂには、順次（Ｂ1,Ｂ2,Ｂ3)の符号を付すこととする。
【００２５】
図３に示される原点位置においては、第３種始動口２３に１個の球Ｂ1 が入り込んで、回転中の回転誘導体Ｒ1 の外周面に支持された状態で待機している。図４に示される位置（回転角：４５°）においては、下方を向いてい球受口２４が僅かに斜下方を向くが、この位置においても、球Ｂ1 は、そのまま回転中の回転誘導体Ｒ1 の外周面に支持された状態で待機している。図５に示される位置（回転角：９０°）においても、第３種始動口２３には、１個の球Ｂ1 のみが待機可能であって、この球Ｂ1 は、入賞箱２１を構成する閉塞板部２１ｃと、同様の一方の側板部２１ｄと、回転中の回転誘導体Ｒ1 の外周面との３つの部分で支持されているが、この位置から回転誘導体Ｒ1 が僅かに回転すると、該回転誘導体Ｒ1 の支持がなくなって、その球受口２４に受け入れられる直前の位置である。
【００２６】
そして、図６に示される位置（回転角：１３５°）においては、回転角が９０°の位置においては、回転誘導体Ｒ1 の外周面に僅かに支持されていた最初の球Ｂ1 は、その支持を失って、徐々に上方に向いている球受口２４内に落下した後に、軸心Ｃの方向の奥側に向けて僅かに低くなっている回転誘導体Ｒ1 の内周面を該軸心Ｃの方向に沿って転動して、その一部が制止部２６の端面２６ａに当接することにより、その位置で制止される。このように、第１実施形態の第３種始動装置Ｆ1 では、回転誘導体Ｒ1 の外周面で支持されていた球Ｂ1 は、その支持を失うことにより、球受口２４に落下する。
【００２７】
また、回転誘導体Ｒ1 の連続回転により、その球受口２４が斜上方を向いているために、後続の２個の球Ｂ2,Ｂ3 が第３種始動口２３から入賞箱２１の内部に入り込んで、２番目の球Ｂ2 は、回転誘導体Ｒ1 の内部に全てが受け入れられた最初の球Ｂ1 に当接した状態で、その一部が回転誘導体Ｒ1 の内部に入り込んでいると共に、３番目の球Ｂ3 は、その大部分が回転誘導体Ｒ1 の内部に入り込んでいる２番目の球Ｂ2 により下部を支持された状態で、第３種始動口２３の部分に待機している。このように、回転角が１３５°の位置では、３個の球Ｂ1,Ｂ2,Ｂ3 が第３種始動口２３に受け入れられて、該第３種始動口２３から回転誘導体Ｒ1 の内部の制止部２６との間において連なった状態を維持している。
【００２８】
また、図７に示される位置（回転角：１８０°）においては、球受口２４及び球排出口２５の双方が上方を向いて、２番目の球Ｂ2 は、その略半分が回転誘導体Ｒ1 の内部に受け入れられた状態で、３個の球Ｂ1,Ｂ2,Ｂ3 は、第３種始動口２３から回転誘導体Ｒ1 の内部の制止部２６との間において連なった状態を維持している。この回転角が１８０°の位置において、回転誘導体Ｒ1 に対する２番目の球Ｂ2 の受入れ量は、最も大きくなっていて、回転角が１８０°を超えると、２番目の球Ｂ2 の回転誘導体Ｒ1 の軸心Ｃの方向に沿った位置はほぼ同一であっても、該回転誘導体Ｒ1 の前半部には、斜め切断された球受口２４が形成されているために、２番目の球Ｂ2 は、相対的に回転誘導体Ｒ1 の内部から徐々に脱出させられることとなる。そして、図８に示される位置（回転角：２２５°）を経て、図９に示される位置（回転角：２７０°）に達すると、２番目の球Ｂ2 は、回転誘導体Ｒ1 の内部からほぼ脱出すると共に、３番目の球Ｂ3 は、２番目の球Ｂ2 と分離して上方に移動させられて、回転誘導体Ｒ1 の外周面で支持されるに至る。そして、図１０に示される位置（回転角：３１５°）においては、２番目の球Ｂ2 は、回転誘導体Ｒ1 の内部から完全に脱出させられて、入賞箱２１のわん曲した底板部２１ｅで支持される。この間において、最初の球Ｂ1 は、回転誘導体Ｒ1 の内部に受け入れられて、制止部２６に当接したままである。
【００２９】
そして、図１１に示される位置（回転角：３６０°）においては、回転中の回転誘導体Ｒ1 の内部の制止部２６の端面２６ａに当接することにより、更に奥側への移動が制止されていた最初の球Ｂ1 は、その制止が失われて、該球Ｂ1 の直径Ｄよりも僅かに大きな前記交線２７と球排出口２５の前記内周縁部２５ａとの間を通過して、球排出口２５から直下に排出される。球排出口２５から排出された最初の球Ｂ1 は、球検出器２２の球通過口２２ａを通過することにより、その検出信号が発せられて、前記大入賞口装置Ｇの開閉扉１１が開いて、大入賞口１０が開口する。
【００３０】
また、図１２は、回転誘導体Ｒ1 が２回転目に入った状態であって、原点位置を基準にすると回転角が４９５°の位置である。回転誘導体Ｒ1 の回転角が４５０°を超えると、入賞箱２１の底板部２１ｅで支持されていた２番目の球Ｂ2 は、回転誘導体Ｒ1 の球受口２４の開口端面２４ａにより、その軸心Ｃと直交する方向に押しやられながら、球噛みを生ずることなく、回転誘導体Ｒ1 の内部に掬い上げるようにして受け入れられると共に、回転誘導体Ｒ1 の外周面で支持されていた３番目の球Ｂ3 は、その支持を失って球受口２４の内部に徐々に落下して、その一部が回転誘導体Ｒ1 の内部に受け入れられた状態となる。
【００３１】
このように、本発明に係る第３種始動装置Ｆ1 の上記作用が繰り返されることにより、回転誘導体Ｒ1 の内部に形成された制止部２６により、２個の球Ｂが同時に回転誘導体Ｒ1 の内部に受け入れられるのを制止して、回転誘導体Ｒ1 の１回転中において１個の球Ｂのみが球排出口２５から排出されることとなる。
【００３２】
このように、第１実施形態の第３種始動装置Ｆ1 は、上記した理由により球噛みを生じないと共に、回転誘導体Ｒ1 の内径は、球Ｂの直径Ｄよりも僅かに大きくなっていればよいので、回転誘導体Ｒ1 の外径が小さくなって、第３種始動装置Ｆ1 の全体が小型化される。
【００３３】
また、上記した第３種始動装置Ｆ1 において、回転誘導体Ｒ1 に形成される球排出口２５の位置を制止部２６に対して周方向に沿ってほぼ反対側にすると、最小内径の回転誘導体Ｒ1 でもって、制止部２６との当接を解除して球Ｂを球排出口２５から排出可能となる利点があるが、制止部２６に対する球排出口２５の周方向に沿った位置は、両者が周方向に沿って重複しない限り、いずれの位置であっても可能である。
【００３４】
この実施形態に係る遊技機としてのパチンコ機は上記したように構成される。従って、図１において、パチンコ遊技の際に、発射装置（図示せず）から発射通路５に発射された球Ｂは、遊技領域４の上部に打ち出され、多数の釘や風車１４に当たって遊技領域４の下部に向けて流れる。また、遊技領域４に打ち出された球Ｂのうちの一部は、普通役物作動器９、普通入賞器１３、電動式の普通役物装置Ａ等の入賞口に流入する。また、入賞口に流入しなかった球Ｂは、遊技領域４の最下部のアウト口１５に流入して、機外に排出される。
【００３５】
普通役物作動器９の入賞口に球Ｂが入賞すると、その球Ｂが球検出器（図示せず）によって検出され、その検出信号が主制御装置（図示せず）に伝達される。これに基づいて主制御装置から出力される信号が電動式の普通役物装置Ａに伝達され、これによって、一対の開閉部材６が所定時間（例えば、０．５秒）開放された後に、元の状態に閉じられる。普通役物装置Ａの一対の開閉部材６の開放時には、その可変入賞口７に球Ｂが入賞し易くなる。
【００３６】
また、前記普通役物装置Ａに球が入賞すると、その信号が主制御装置（図示せず）に伝達され、これに基づいて主制御装置から出力される信号に基づいて、権利発生装置Ｅの図柄表示部８の各抽選図柄が変動を開始して、設定時間後に停止して抽選図柄が確定する構成になっている。そして、確定された抽選図柄が特定の表示態様（例えば、「１・１」，「３・３」，「５・５」，「７・７」）となると、大当りが確定し、いわゆる「大当り遊技」の権利が発生する。
【００３７】
そして、前記大当りが確定して「大当り遊技」の権利が発生した状態で、遊技領域４を流れる球Ｂが、前記第３種始動装置Ｆ1 を構成する回転誘導体Ｒ1 の球受口２４からその内部に受け入れられた後に、球排出口２５から排出された後に球検出器２２によって検出されると、その検出信号は主制御装置に伝達される。これに基づいて主制御装置から大入賞口装置Ｇに信号が伝達されると、開閉扉１１が開放されて大入賞口１０が開かれる。この大入賞口１０に球Ｂが最大で１０個流入するか、或いは開閉扉１１の開放後１０秒経過すると、開閉扉１１によって大入賞口１０が閉じられ、これで大当たり遊技の１ラウンドが終了する。開閉扉１１によって大入賞口１０が閉じられた後に、再び、遊技領域４を流れる球Ｂが第３種始動口２３に流入すると、開閉扉１１が再び開放されて大入賞口１０が開かれる。このように大当り遊技が最大で１６ラウンド行われて、大当り遊技が終了する。
【００３８】
また、前記第３種始動装置Ｆ1 においは、回転誘導体Ｒ1 の１回転に要する時間は、大入賞口装置Ｇを構成する開閉扉１１の最大開放時間（１０秒）よりも僅かに長くなっており、しかも回転誘導体Ｒ1 の１回転においては１個のみの球Ｂが受け入れられて、同時に２個の球Ｂが受け入れられることはない。このため、第３種始動口２３に入り込んだ球は、その球毎に必ず大入賞口装置Ｇが作動し、その作動途中で開閉扉１１が閉じられて獲得賞数が少なくなることはない。
【００３９】
引き続いて、本発明の第２実施形態の第３種始動装置Ｆ2 について説明する。図１３は、回転角が１８０°の状態における第３種始動装置Ｆ2 の一部を破断した斜視図であり、図１４及び図１５は、それぞれ回転角が０°，１８０°の状態を示す図である。なお、第２実施形態の第３種始動装置Ｆ2 の説明において、重複説明を避けるために、第１実施形態のそれと同一又は同等部分には、同一又は同等の符号を付して図示のみ行い、第２実施形態の独自の部分についてのみ説明する。
【００４０】
第１実施形態の第３種始動装置Ｆ1 を構成する回転誘導体Ｒ1 は、その略前半部が斜め切断されて球受口２４が形成されているが、第２実施形態の第３種始動装置Ｆ2 を構成する回転誘導体Ｒ2 は、両端面が閉塞された円筒体における遊技盤面１ａから突出した略前半部の周面に球受口３４が形成されている。また、回転誘導体Ｒ2 の内周面には、該球受口３４から受け入れられて収容された球Ｂを、回転誘導体Ｒ2 が所定角度だけ回転する間のみ、軸方向に沿ってその位置で待機させておくための制止部３６が形成され、回転誘導体Ｒ2 の周面における前記制止部３６よりも軸方向に沿って奥側であって、しかも前記球受口３４と周方向の位相が１８０°異なる位置に球排出口３５が形成されている。
【００４１】
回転誘導体Ｒ2 の軸方向に沿って前記制止部３６の位置は、球受口３４から受け入れられた球Ｂが軸方向の奥側に移動するのを制止した状態において、回転誘導体Ｒ2 の前面閉塞壁３７との間に所定の隙間が形成される位置であると共に、回転誘導体Ｒ2 の周方向に沿って前記制止部３６の位置は、前記球受口３４の略反対側の位相が略１８０°異なる部分である。また、図１５及び図１６に示されるように、制止部３６は、球受口３４が上方の位置から斜上方の位置に変化する際に、最初に受け入れられた球Ｂ1 を回転誘導体Ｒ2 の軸方向に沿って待機させておいて、待機中の最初の球Ｂ1 に支持されて、２番目の球Ｂ2 が受け入れられるのを防止すると共に、回転誘導体Ｒ2 の回転により２番目の球Ｂ2 がその外周面で支持されて受け入れ不能になった場合には、最初の球Ｂ1 の制止を解除して奥側に移動可能にするための部材である。従って、上記した２つの条件を満足させるために、制止部３６の回転誘導体Ｒ2 の半径方向に沿った突出長は、回転誘導体Ｒ2 の回転方向に沿って漸次大きくしてある。
【００４２】
第３種始動装置Ｆ2 の他の構成は、第１実施形態の前記第３種始動装置Ｆ1 と同様であって、回転誘導体Ｒ2 の肉厚は、奥側に向けて漸次薄くなっていて、球受口３４から内部に受け入れられた球Ｂは、重力作用によって奥側に転動可能にしてある。また、回転誘導体Ｒ2 は、球受口３４が形成された略前半部のみが入賞箱２１内に収容されている。また、回転誘導体Ｒ2 の後面閉塞壁３８には、モータＭの回転軸２８が直結されて、該回転誘導体Ｒ2 は、低速で連続回転する。更に、最も下方に達した球排出口３５の直下には、球検出器２２が配置されている。
【００４３】
次に、第２実施形態の第３種始動装置Ｆ2 の作用について簡単に説明する。回転誘導体Ｒ1 の球受口２４が下方を向く位置を原点位置（回転角：０°）と定めた場合において、図１４ないし図１９は、それぞれ回転角が０°，１８０°，２２５°，２７０°，３６０°，５４０°の位置における状態を示す図である。
【００４４】
図１４に示される原点位置においては、第３種始動口２３に１個の球Ｂ1 が入り込んで、回転中の回転誘導体Ｒ2 の外周面に支持された状態で待機している。図１５に示される位置（回転角：１８０°）において、球受口３４が上方を向いて、回転誘導体Ｒ2 の外周面で支持された状態で第３種始動口２３で待機中の最初の球Ｂ1 が球受口３４から回転誘導体Ｒ2 に受け入れられた後に、制止部３６に制止されて、これを超えて更に奥側に移動できなくなっていると共に、第３種始動口２３に入り込んだ２番目の球Ｂ2 は、制止部３６により奥側への移動が制止された状態で回転誘導体Ｒ2 に受け入れられている最初の球Ｂ1 に支持されるために、球受口３４から回転誘導体Ｒ2 の内部に受け入れられない。
【００４５】
図１５から図１６に示される位置（回転角：２２５°）に至る間においては、回転誘導体Ｒ2 の回転により、その球受口３４が徐々に斜上方を向くために、最初の球Ｂ1 により支持されていた２番目の球Ｂ2 は、回転誘導体Ｒ2 の外周面に乗り上がって、両球Ｂ1,Ｂ2 が分離されることにより、２番目の球Ｂ2 は、回転誘導体Ｒ2 が１回転する間は、その位置で待機している。ここで、図１５から図１６に示される位置に回転誘導体Ｒ2 が回転する際に、２番目の球Ｂ2 は、その下部が球受口３４の周縁部に僅かに引っ掛けられる。しかし、球Ｂ2 の引っ掛けられる部分は、下部であるために、該球Ｂ2 が回転誘導体Ｒ2 と逆方向に僅かに回転する等して、球噛みを生ずることはない。
【００４６】
図１７に示される位置（回転角：２７０°）においては、球受口３４と制止部３６とがいずれも側方に位置する状態となって、該制止部３６による最初の球Ｂ1 の制止が解除されて、最初の球Ｂ1 は、回転誘導体Ｒ2 の内周面の傾斜に沿って奥側に転動開始して移動し、後面閉塞壁３８に当接した状態で待機している。
【００４７】
そして、球受口３４が下方を向いた図１８に示される位置（回転角：３６０°）を経て、回転誘導体Ｒ2 が図１９に示される位置（回転角：５４０°）に達すると、後面閉塞壁３８に当接した状態で待機中の最初の球Ｂ1 は、球排出口３５から直下に排出された後に、球検出器２２の球通過口２２ａを通過して検出されると共に、第３種始動口２３で待機中の２番目の球Ｂ2 は、上方を向いた球受口３４から回転誘導体Ｒ2 の内部に受け入れられた後に、制止部３６に当接して、奥側への移動が制止される。
【００４８】
このように、第２実施形態の第３種始動装置Ｆ2 においても、上記作用が繰り返されることにより、球受口３４の部分で球噛みを生ずることなく、該球受口３４から内部に確実に球Ｂが受け入れられると共に、回転誘導体Ｒ2 の内周面に形成された制止部３６の作用によって、２個の球が同時に回転誘導体Ｒ2 の内部に受け入れられるのが制止されて、回転誘導体Ｒ2 の１回転中において１個の球Ｂのみが球排出口３５から排出されることになる。
【００４９】
また、第２実施形態の第３種始動装置Ｆ2 においても、これを構成する回転誘導体Ｒ2 の内径は、球Ｂの直径Ｄよりも僅かに大きくすればよいので、回転誘導体Ｒ2 の外径が小さくなって、第３種始動装置Ｆ2 が小型化される。
【００５０】
また、前記第３種始動装置Ｆ2 においては、回転誘導体Ｒ2 に形成される球受口３４と制止部３６との周方向に沿った位置関係は、上記した条件を満たす必要があるが、球排出口３５の周方向に沿った位置に関しては、制約はない。
【００５１】
なお、第１及び第２の各実施形態の第３種始動装置Ｆ1,Ｆ2 において、内部に収容された球Ｂを重力作用により奥側に移動させる構成として、手前側から奥側に向けて肉厚を漸次薄くするのに替えて、回転誘導体Ｒ1,Ｒ2 の全体形状を、奥側に向けて内径（外径）が漸次大きくなるようなテーパー円筒状にすることも可能である。この構成では、遊技盤面１ａから突出していない回転誘導体Ｒ1,Ｒ2 の奥側の部分の外径が大きくなるのみであるので、盤面の占有面積が大きくなることはない。
【００５２】
また、上記各実施形態では、本発明を第３種機を構成する第３種始動装置に対して実施した例であるが、所定の入球インターバルをおいて順次に入賞される構成の入賞装置であれば、いかなる入賞装置に対しても実施可能である。
【００５３】
【発明の効果】
請求項１の発明は、回転する円筒状の回転誘導体が第３種始動口の下方に配置された第３種始動装置を備えた遊技機にあって、前記回転誘導体は、前記第３種始動口に合致した位置に形成され、前記第３種始動口を通過した球をその内部に受け入れる球受口と、前記球受口よりも後方に形成され、受け入れられた球を排出する球排出口と、前記球受口と前記球排出口との間の内周面に形成され、２個の球が同時に受け入れられるのを防止する制止部とを備え、前記回転誘導体の１回転中につき１個のみの球が受け入れられて排出される構成であるので、回転誘導体の内径は、球の直径よりも僅かに大きければよいために、第３種始動装置が小型化される。
【００５４】
このように、第３種始動装置が小型化されるので、遊技盤面における第３種始動装置の占有面積が小さくなって、盤面配置設計が容易となる。
【００５５】
また、請求項１の発明は、回転誘導体の球受口が、第３種始動口に合致する先端部分を斜めに切断して形成されているために、球受口の端縁と周辺の固定部分との間で球が噛まれそうになっても、この球は球受口内で逃げ易いために、球噛みしにくくなる。
【図面の簡単な説明】
【図１】  本発明に係るパチンコ機の正面図である。
【図２】  回転角が１８０°の状態における第３種始動装置Ｆ1 の一部を破断した斜視図である。
【図３】  （イ), (ロ) は、それぞれ回転誘導体Ｒ1 の回転角が０°（原点位置）における第３種始動装置Ｆ1 の縦断面図及び正面図である。
【図４】  （イ), (ロ) は、それぞれ回転誘導体Ｒ1 の回転角が４５°における第３種始動装置Ｆ1 の縦断面図及び正面図である。
【図５】  （イ), (ロ), (ハ) は、それぞれ回転誘導体Ｒ1 の回転角が９０°における第３種始動装置Ｆ1 の縦断面図、正面図及び平面断面図である。
【図６】  （イ), (ロ), (ハ) は、それぞれ回転誘導体Ｒ1 の回転角が１３５°における第３種始動装置Ｆ1 の縦断面図、正面図及び平面断面図である。
【図７】  （イ), (ロ) は、それぞれ回転誘導体Ｒ1 の回転角が１８０°における第３種始動装置Ｆ1 の縦断面図及び正面図である。
【図８】  （イ), (ロ) は、それぞれ回転誘導体Ｒ1 の回転角が２２５°における第３種始動装置Ｆ1 の縦断面図及び正面図である。
【図９】  （イ), (ロ), (ハ) は、それぞれ回転誘導体Ｒ1 の回転角が２７０°における第３種始動装置Ｆ1 の縦断面図、正面図及び平面断面図である。
【図１０】  （イ), (ロ) は、それぞれ回転誘導体Ｒ1 の回転角が３１５°における第３種始動装置Ｆ1 の縦断面図及び正面図である。
【図１１】  （イ), (ロ) は、それぞれ回転誘導体Ｒ1 の回転角が３６０°における第３種始動装置Ｆ1 の縦断面図及び正面図である。
【図１２】  （イ), (ロ), (ハ) は、それぞれ回転誘導体Ｒ1 の回転角が４９５°における第３種始動装置Ｆ1 の縦断面図、正面図及び平面断面図である。
【図１３】  回転角が１８０°の状態における第３種始動装置Ｆ2 の一部を破断した斜視図である。
【図１４】  （イ), (ロ) は、それぞれ回転誘導体Ｒ2 の回転角が０°における第３種始動装置Ｆ2 の縦断面図及び球受口３４の部分の横断面図である。
【図１５】  （イ), (ロ) は、それぞれ回転誘導体Ｒ2 の回転角が１８０°における第３種始動装置Ｆ2 の縦断面図及び球受口３４の部分の横断面図である。
【図１６】  （イ), (ロ) は、それぞれ回転誘導体Ｒ2 の回転角が２２５°における第３種始動装置Ｆ2 の縦断面図及び球受口３４の部分の横断面図である。
【図１７】  （イ), (ロ),( ハ）は、それぞれ回転誘導体Ｒ2 の回転角が２７０°における第３種始動装置Ｆ2 の縦断面図、球受口３４の部分の横断面図及び制止部３６の分の横断面図である。
【図１８】  （イ), (ロ) は、それぞれ回転誘導体Ｒ2 の回転角が３６０°における第３種始動装置Ｆ2 の縦断面図及び球受口３４の部分の横断面図である。
【図１９】  （イ), (ロ) は、それぞれ回転誘導体Ｒ2 の回転角が５４０°における第３種始動装置Ｆ2 の縦断面図及び球受口３４の部分の横断面図である。
【図２０】  （イ), (ロ) は、それぞれ従来の第３種始動装置の一部を破断した正面図及び縦断面図である。
【符号の説明】
Ｆ1,Ｆ2 ：第３種始動装置
Ｒ1,Ｒ2 ：回転誘導体
２３：第３種始動口
２４，３４：球受口
２５，３５：球排出口
２６，３６：制止部
【図１】
0004150828.tif 000002
【図２】
0004150828.tif 000003
【図３】
0004150828.tif 000004
【図４】
0004150828.tif 000005
【図５】
0004150828.tif 000006
【図６】
0004150828.tif 000007
【図７】
0004150828.tif 000008
【図８】
0004150828.tif 000009
【図９】
0004150828.tif 000010
【図１０】
0004150828.tif 000011
【図１１】
0004150828.tif 000012
【図１２】
0004150828.tif 000013
【図１３】
0004150828.tif 000014
【図１４】
0004150828.tif 000015
【図１５】
0004150828.tif 000016
【図１６】
0004150828.tif 000017
【図１７】
0004150828.tif 000018
【図１８】
0004150828.tif 000019
【図１９】
0004150828.tif 000020
【図２０】
0004150828.tif 000021